【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
携帯電話機１００からの電話番号によるユビキタスネットへのアクセスを可能にするために開発した携帯電話機に付加するＵ−Ｓｅｎｄ（発信）ボタン１０１とＵ発信接続先のユビキタスＵＲＬ／／ｗｗｗ．送出モジュール１０２に関する。
携帯電話機にＵ発信ボタンを付加したものを図１に示す。
【請求項２】
携帯電話機のＵＳｅｎｄ発信からのインターネット接続に関するデーター通信の方式については、各通信事業者のインターネット接続およびデーター通信方式を採用し、チップにセッティングする接続先であるユビキタスセンター接続に関する。
【請求項３】
携帯電話を利用する場合、電話として通話するために使用するのか、インターネットに接続する情報端末機として使用するのかを、インターネットを意識しないで、携帯電話の発信ボタンにより、利用形態により利用者が選び、従来どおり、電話番号をダイヤルし使用できるよう、インターネットに接続する発信ボタンとして新たにＵＳｅｎｄ発信ボタンを開発し付加した。
Ｕｓｅｎｄ発信ボタを押すとチップに設定したユビキタスセンター・システム５００のＷｅｂサーバーに接続し、発信者がＵ電話番号で企業のホームページへダイレクトにアクセスするインターネットへの接続に関する。
【請求項４】
発信者は、情報雑誌に記載のＵ電話番号およびＵ電話番号帳に掲載されているＵ電話番号およびＵコード番号をＵ−Ｓｎｄ（発信）ボタンを使いダイヤルするとダイレクトで企業のホームページ及びユビキタス・端末装置の接続に関する。
【請求項５】
紙メディアの情報雑誌、ホームページアドレス帳２００と携帯電話、インターネットとの連携を利用したメディアクロスによるモバイルマーケットでの電子商取引Ｂ２Ｃ拡大方法についてのビジネスモデルを創出した。
紙メディアについての連携のためのＵ電話番号の記載・掲載を下記に示す。
Ｕ電話番号をＵ電話番号帳への記載・掲載方法２００を図２−１，２−２，２−３に関する。
【請求項６】
受付センターでは、ホームページ開設ユーザーから保有する電話番号で、ホームページにダイレクトにアクセスできる申込を電話受付け、電話番号対ホームページアドレス表のオーダーを作成し、受付センターのシステムサーバー７０１に登録、運用に関する。
【請求項７】
登録されたＵ電話番号に、アクセスがあればユビキタスセンター・システム５００で
2008028972.tif 000001
換し、インターネット８００を経由して、企業のホームページ９００等の接続に関する。
【請求項８】
ユビキタセンター・スシステムは、携帯電話からＵ発信ボタンによるＵ電話番号を受信した場合、その都度、受信したＵ電話番号が登録されているかいなかを識別し、登録されていないＵ電話番号もしくは、Ｕ番号コードを受信した場合は、この番号は、登録されていないから接続できませんという旨のメッセージを発信者にユビキタスセンター・システム５００から返信、接続を切断する制御に関する。
【請求項９】
携帯電話保有者がＵ電話番号による企業のホームページへダイレクトでアクセスし、電子商取引を行う場合のセキュリティ対策である認証サービスとして、ユビキタスセンター・システムに携帯電話保有者のＩＤパスワードを取引開始する事前の登録に関する。
【請求項１０】
携帯電話発信者のＵ電話番号による企業のホームページへアクセスし、電子商取引を行う場合、ユビキタスセンター・システム処理機能の認証パスワードによるセキュリティの制御に関する。
【手続補正２】
【補正対象書類名】明細書
【補正対象項目名】全文
【補正方法】変更
【補正の内容】
【発明の詳細な説明】
【発明の名称】携帯電話機からＵ−Ｓｅｎｄ（発信）ボタンを使い、Ｕ電話番号をダイヤルし、ユーザーのホームページへダイレクトでアクセスを可能にした。
【技術分野】
【０００１】本発明は、携帯電話機からＵ電話番号でホームページへアクセスできるようにする携帯電話機１００に付加するＵ−Ｓｅｎｄ（発信）ボタン１０１とユビキタスセンター・システム５００に接続する携帯電話のチップ１０２のソフト・ハード機器の開発である。
ユビキタスセンター・システム５００では、Ｕ発信ボタンからの電話番号を受信するとＵ電話番号に対応した、ホームページアドレスに変換モジュール５０２で、ホームページアドレスに変換し、網制御モジュール５０３により、インターネット８００を経由して、企業のホームページ９００へ接続し、利用者の携帯電話のディスプレイ画面にアクセスしたホームページを表示するプログラム開発である。
登録されていないＵ電話番号にアクセスがあった場合は、この番号はＵ接続に登録されていませんというメッセージをユビキタスセンターのシステムから携帯電話に返信する。
携帯電話利用者がＵ電話番号で企業のホームページにダイレクトでアクセスし、電子商取引等を行う場合は、利用者が自らホームページ企業との契約による登録を行う。
携帯電話利用者とホームページ企業との電子商取引は、携帯電話番号とパスワードにより認証を行い、セキュリティを確保する。
【背景技術】
【０００２】携帯電話の電話機能とインターネット通信技術、光通信通信技術およびコンピューター機能・技術を含めた総合的なＩＴ通信技術を応用したものである。
【発明の開示】
【発明が解決しようとする課題】高齢者を含めた利用者が携帯電話のＵ発信ボタンを利用し、今まで使い慣れた電話番号で企業のホームページにアクセスできるアナログ情報誌とのメディアクロスを行い、利用者の利便性を改善する。
【課題を解決するための手段】携帯電話機にＵ発信ボタンを付加し、Ｕ発信によるインターネットに接続するデーター通信に関しては、各携帯通信事業者の接続方式をそのまま採用し、ＵＳｅｎｄボタン発信によるユビキタスセンター・システムに接続するハード・ソフトの開発を携帯電話機開発メーカーに情報を開示する。
各携帯通信事業者は、Ｕ発信を受信した場合、インターネット接続により、ユビキタス・サーバーへ接続するだけで、なんらネットワーク及び交換システムは、既存の接続方法により、手を加える必要はない。
【発明の効果】携帯電話から電話番号によるダイレクトにホームページアクセスするＩＣＴ（Ｉｎｆｏｒｍａｔｉｏｎ  ａｎｄ  Ｃｏｍｍｕｎｉｃａｔｉｃｏｎ  Ｔｅｃｈｕｎｏｌｏｇｅ）機能によりインターネットとの連携、実店舗をはじめとするリアルとの連携、電話帳、雑誌や新聞等の紙メディアとの連携により、電子商取引が活発になり、ユビキタスエコノミーによる経済成長に大きく貢献できる。
【発明を実施するための最良の形態】各携帯メーカー携帯電話機にＵ発信符号ボタン付きを標準装備した開発を行い販売する。
携帯電話通信事業者は、携帯電話機からの異なる二つの発信の標準化を採用し、電話接続とインターネットの接続を既存のままの接続で行う。
総務省が２０１０年を目途に「いつでも、どこでも、なんでも、だれでも」携帯電話からネットワークにつながり、情報の自在なやりとりを行うことができるユビキタスネット社会の実現を目指すビジネスモデルであり、ユビキタスネットワークの進展のための紙メディアとインターネットを利用したモバイルとのメディアクロスによる双方の強みを生かすため、メーカー各社は、標準装備とする開発を行う。
【実施例】一般消費者は、ライフスタイルで商品・サービスをまず、アナログ情報雑誌や新聞、Ｕ電話帳から選び掲載されているＵ電話番号により、ホームページへダイレクトでアクセスし、コンテンツ配信による、気に入った商品・サービスを電子商取引で行う。
【産業上の利用可能性】情報雑誌とＩＴ技術の双方の強みを融合さす、携帯電話機からＵ電話番号によるホームページへのダイレクトにアクセスする方法は、ＢｔｏＢ，ＢｔｏＣによる電子商取引を無限に拡大する可能性をもっている。
その他Ｕコード番号による情報家電商品の遠隔制御、防災、防犯情報の情報収集等情報の自由なやり取りが携帯電話で操作が簡単に便利にできるユビキタスネット社会を実現することができる。
【図面の簡単な説明】
【図１】携帯電話利用者は、アナログ情報誌に掲載されたＵ電話番号および、Ｕ電話番号帳に掲載されている電話番号を見て、操作はＵ発信ボタン押下し、電話番号をダイヤルすると登録されている該当企業のホームページへダイレクトで接続、ディスプレイ画面に企業のホームページが表示される。
【図２】Ｕ電話番号帳と情報誌に記載・掲載するＵ電話番号の記載・掲載方法を示す。
【図３】携帯電話機からＵ電話番号によりホームページに接続するシステムとネットワークの構成を示す。
【図４】アナログ情報誌、Ｕ電話番号帳から自分が購入したい商品・サービス・施設の利用に関する販売商品情報を携帯電話から企業のホームページに電話番号でダイレクトにアクセスし、電子商取引を行う例を示している。
【符号の説明】
１００；携帯電話機
１０１；Ｕ発信ボタン
１０２；Ｕ符号送出モジュール
２００；Ｕ電話番号掲載情報誌、Ｕ電話番号帳
３００；携帯網
４００；携帯電話受信装置
５００；ユビキタスセンター・システム
５０１；ユビキタスセンター・サーバー
５０２；ユビキタスシステム・変換モジュール
５０３；ユビキタスシステム・網制御モジュール
６００；ＬＡＮおよび専用線
７００；  受付センターシステム
７０１：受付センターシステム・サーバー
８００；インターネット
９００；ホームページ
【手続補正４】
【補正対象書類名】図面
【補正対象項目名】全図
【補正方法】変更
【補正の内容】
【図１】
2008028972.tif 000002
【図２−１】
2008028972.tif 000003
【図２−２】
2008028972.tif 000004
【図２−３】
2008028972.tif 000005
【図３】
2008028972.tif 000006
【図４】
2008028972.tif 000007